(57)【要約】【課題】本発明は、中継方式を使用する無線通信システムにおけるデータの再送信装置及び方法を提供する。【解決手段】端末からデータを受け取った中継局からデータに対するＡＣＫメッセージ又はＮＡＣＫメッセージが受信されているか否かを確認する過程と、中継局からＡＣＫメッセージが受信される場合、中継局にデータを送信するためのスケジューリング情報を送信する過程と、中継局からデータが受信される場合、データのエラーを確認する過程と、データにエラーが発生した場合、中継局にデータの再送信を要請する過程と、を含んで、中継局は、基地局に対してエラーがないデータのみ再送信を行って、基地局は、データに対して信頼度を向上させることができるという利点がある。
2010519877.tif 000002
【特許請求の範囲】
【請求項１】
中継方式を使用する無線通信システムの基地局における再送信方法であって、
端末からデータを受け取った中継局から前記データに対するＡＣＫメッセージ又はＮＡＣＫメッセージが受信されているか否かを確認する過程と、
前記中継局からＡＣＫメッセージが受信される場合、前記中継局に前記データを送信するためのスケジューリング情報を送信する過程と、
前記中継局から前記データが受信される場合、前記データのエラーを確認する過程と、
前記データにエラーが発生した場合、前記中継局に前記データの再送信を要請する過程と、
を含むことを特徴とする方法。
【請求項２】
前記端末がデータを送信するためのスケジューリング情報を、前記端末と前記中継局のうち少なくとも一つのノードに送信する過程と、
前記中継局が前記端末から受け取ったデータのＡＣＫメッセージ又はＮＡＣＫメッセージを送信するためのＡＣＫ／ＮＡＣＫメッセージスケジューリング情報を前記中継局に送信する過程と、をさらに含み、
前記ＡＣＫ／ＮＡＣＫメッセージスケジューリング情報に応じて、前記中継局からＡＣＫメッセージ又はＮＡＣＫメッセージが受信されているか否かを確認することを特徴とする請求項１に記載の方法。
【請求項３】
前記中継局からＡＣＫメッセージが受信される場合、前記端末にＡＣＫメッセージを送信する過程をさらに含むことを特徴とする請求項１に記載の方法。
【請求項４】
前記中継局からＮＡＣＫメッセージが受信される場合、前記端末に前記データの再送信を要請する過程をさらに含むことを特徴とする請求項１に記載の方法。
【請求項５】
前記端末に再送信を要請する過程は、
前記端末にＮＡＣＫメッセージを送信する過程を含むことを特徴とする請求項４に記載の方法。
【請求項６】
前記中継局に再送信を要請する過程は、
前記中継局にＮＡＣＫメッセージを送信する過程と、
前記データを再送信するためのスケジューリング情報を前記中継局に送信する過程と、を含むことを特徴とする請求項１に記載の方法。
【請求項７】
前記中継局に再送信を要請する過程は、
前記データを再送信するためのスケジューリング情報を前記中継局に送信する過程を含むことを特徴とする請求項１に記載の方法。
【請求項８】
前記中継局から受け取ったデータにエラーがない場合、前記中継局と前記端末のうち少なくとも一つのノードにＡＣＫメッセージを送信する過程をさらに含むことを特徴とする請求項１に記載の方法。
【請求項９】
前記データが再送信される場合、前記再送信のための有効時間を確認する過程と、
前記有効時間が満了すると、前記データの再送信を終了する過程と、をさらに含むことを特徴とする請求項１に記載の方法。
【請求項１０】
前記端末からと前記中継局からとの信号を受信する成功率を比較する過程をさらに含み、
前記中継局から信号を受信する成功率がより高い場合、前記中継局が端末から受け取ったデータに対するＡＣＫメッセージ又はＮＡＣＫメッセージが前記中継局から受信されているか否かを確認することを特徴とする請求項１に記載の方法。
【請求項１１】
中継方式を使用する無線通信システムの中継局における再送信方法であって、
端末がデータを送信するためのスケジューリング情報を利用して、前記端末からデータを受信する過程と、
前記受信されるデータのエラーを確認する過程と、
前記データにエラーがない場合、基地局にＡＣＫメッセージを送信する過程と、
前記基地局から受け取った、前記端末から受け取ったデータを送信するためのスケジューリング情報を利用して、前記データを前記基地局に送信する過程と、
前記基地局から再送信要請信号が受信される場合、前記基地局に前記データを再送信する過程と、
を含むことを特徴とする記載の方法。
【請求項１２】
前記データを受信する過程は、
前記端末がデータを送信するためのスケジューリング情報を確認する過程と、
前記スケジューリング情報を利用して、前記端末からデータを受信する過程と、を含むことを特徴とする請求項１１に記載の方法。
【請求項１３】
前記スケジューリング情報を確認する過程は、
前記基地局からデータを送信するためのスケジューリング情報を受信して確認する過程を含むことを特徴とする請求項１２に記載の方法。
【請求項１４】
前記スケジューリング情報を確認する過程は、
前記基地局から前記端末に送信される、前記端末がデータを送信するためのスケジューリング情報を聴取して、前記スケジューリング情報を確認する過程を含むことを特徴とする請求項１２に記載の方法。
【請求項１５】
前記基地局から受信され、前記端末から受け取ったデータに対するＡＣＫメッセージ又はＭＡＣＫメッセージを送信するためのＡＣＫ／ＮＡＣＫメッセージスケジューリング情報を確認する過程をさらに含み、
前記端末から受け取ったデータにエラーがない場合、前記ＡＣＫ／ＮＡＣＫメッセージスケジューリング情報に応じて、ＡＣＫメッセージを前記基地局に送信することを特徴とする請求項１１に記載の方法。
【請求項１６】
前記端末から受け取ったデータにエラーが発生した場合、前記ＡＣＫ／ＮＡＣＫメッセージスケジューリング情報に応じて、ＮＡＣＫメッセージを前記基地局に送信する過程をさらに含むことを特徴とする請求項１５に記載の方法。
【請求項１７】
前記データを再送信する過程は、
前記基地局からＮＡＣＫメッセージが受信される場合、前記基地局から受信されるデータを再送信するためのスケジューリング情報を確認する過程と、
前記スケジューリング情報に応じて前記データを前記基地局に再送信する過程と、を含むことを特徴とする請求項１１に記載の方法。
【請求項１８】
前記データを再送信する過程は、
前記基地局からデータを再送信するためのスケジューリング情報が受信される場合、前記スケジューリング情報に応じて前記データを前記基地局に再送信する過程を含むことを特徴とする請求項１１に記載の方法。
【請求項１９】
前記データの再送信を行う場合、前記再送信のための有効時間を確認する過程と、
前記有効時間が満了すると、前記データの再送信を終了する過程とをさらに含むことを特徴とする請求項１１に記載の方法。
【請求項２０】
中継方式を使用する無線通信システムの基地局における再送信方法であって、
端末からデータを受け取る場合、前記データのエラーを確認する過程と、
前記データにエラーが発生した場合、前記端末から中継局が受け取ったデータに対するＡＣＫメッセージ又はＮＡＣＫメッセージが受信されているか否かを確認する過程と、
前記中継局からＡＣＫメッセージが受信される場合、前記データの再送信のためのノードを決定する過程と、
前記再送信のためのノードとして前記中継局が選択される場合、前記中継局に前記データの再送信を要請する過程とを含むこと、
を特徴とする方法。
【請求項２１】
前記端末がデータを送信するためのスケジューリング情報を、前記端末と前記中継局のうち少なくとも一つのノードに送信する過程をさらに含み、
前記スケジューリング情報を利用して、前記端末からデータを受け取ることを特徴とする請求項２０に記載の方法。
【請求項２２】
前記ＡＣＫメッセージ又はＮＡＣＫメッセージが受信されているか否かを確認する過程は、
前記中継局が前記端末から受け取ったデータに対するＡＣＫメッセージ又はＮＡＣＫメッセージを送信するためのＡＣＫ／ＮＡＣＫメッセージスケジューリング情報を前記中継局に送信する過程と、
前記ＡＣＫ／ＮＡＣＫメッセージスケジューリング情報に応じて、前記中継局からＡＣＫメッセージ又はＮＡＣＫメッセージが受信されているか否かを確認する過程と、を含むことを特徴とする請求項２０に記載の方法。
【請求項２３】
前記端末から受け取ったデータにエラーがない場合、前記中継局と前記端末のうち少なくとも一つのノードにＡＣＫメッセージを送信する過程をさらに含むことを特徴とする請求項２０に記載の方法。
【請求項２４】
前記データの再送信のためのノードを決定する過程は、
前記中継局と前記端末のチャネル状態情報を比較して、チャネル状態情報のより良いノードを前記データ再送信のためのノードとして決定する過程を含むことを特徴とする請求項２０に記載の方法。
【請求項２５】
前記再送信のためのノードとして前記中継局が選択される場合、前記端末にＡＣＫメッセージを送信する過程をさらに含むことを特徴とする請求項２０に記載の方法。
【請求項２６】
前記中継局に再送信を要請する過程は、
前記中継局にＮＡＣＫメッセージを送信する過程と、
前記データを再送信するためのスケジューリング情報を前記中継局に送信する過程と、を含むことを特徴とする請求項２０に記載の方法。
【請求項２７】
前記中継局に再送信を要請する過程は、
前記データを再送信するためのスケジューリング情報を前記中継局に送信する過程を含むことを特徴とする請求項２０に記載の方法。
【請求項２８】
前記中継局からＮＡＣＫメッセージが受信される場合、前記端末に前記データの再送信を要請する過程をさらに含むことを特徴とする請求項２０に記載の方法。
【請求項２９】
前記再送信のためのノードとして前記端末が選択される場合、前記端末に前記データの再送信を要請する過程をさらに含むことを特徴とする請求項２０に記載の方法。
【請求項３０】
前記データが再送信される場合、前記再送信のための有効時間を確認する過程と、
前記有効時間が満了すると、前記データの再送信を終了する過程と、をさらに含むことを特徴とする請求項２０に記載の方法。
【請求項３１】
前記端末からと前記中継局からとの信号を受信する成功率を比較する過程をさらに含み、
前記端末から信号を受信する成功率がより高い場合、前記端末から前記データを受け取ることを特徴とする請求項２０に記載の方法。
【請求項３２】
中継方式を使用する無線通信システムの中継局における再送信方法であって、
端末がデータを送信するためのスケジューリング情報を確認する過程と、
前記スケジューリング情報を利用して、前記端末からデータを受信する過程と、
前記受信したデータのエラーを確認する過程と、
前記データにエラーがない場合、基地局にＡＣＫメッセージを送信する過程と、
前記基地局から再送信要請信号が受信される場合、前記基地局に前記データを送信する過程と、
を含むことを特徴とする方法。
【請求項３３】
前記スケジューリング情報を確認する過程は、
前記基地局から受信され、前記端末がデータを送信するためのスケジューリング情報を確認する過程を含むことを特徴とする請求項３２に記載の方法。
【請求項３４】
前記スケジューリング情報を確認する過程は、
前記基地局から前記端末に送信される、前記端末がデータを送信するためのスケジューリング情報を聴取して、前記スケジューリング情報を確認する過程を含むことを特徴とする請求項３２に記載の方法。
【請求項３５】
前記端末から受け取ったデータにエラーが発生した場合、前記基地局にＮＡＣＫメッセージを送信する過程をさらに含むことを特徴とする請求項３２に記載の方法。
【請求項３６】
前記データを送信する過程は、
前記基地局からＮＡＣＫメッセージが受信される場合、前記基地局から受信されるデータを送信するためのスケジューリング情報を確認する過程と、
前記スケジューリング情報に応じて前記データを前記基地局に送信する過程と、を含むことを特徴とする請求項３２に記載の方法。
【請求項３７】
前記基地局からデータを送信するためのスケジューリング情報が受信される場合、前記スケジューリング情報に応じて前記データを前記基地局に送信する過程を含むことを特徴とする請求項３２に記載の方法。
【請求項３８】
前記データの再送信を行う場合、前記再送信のための有効時間を確認する過程と、
前記有効時間が満了すると、前記データの再送信を終了する過程と、をさらに含むことを特徴とする請求項３２に記載の方法。
【請求項３９】
中継方式を使用する無線通信システムの基地局における再送信方法であって、
端末と中継局がデータを送信するためのスケジューリング情報を前記端末と前記中継局に送信する過程と、
前記端末からデータを受け取る前記中継局からデータが受信される場合、前記データのエラーを確認する過程と、
前記データにエラーが発生した場合、前記中継局に前記エラーの発生したデータの再送信を要請する過程と、
を含むことを特徴とする方法。
【請求項４０】
前記スケジューリング情報を送信する過程は、
前記端末がデータを送信するためのスケジューリング情報を、前記端末と前記中継局のうち少なくとも一つのノードに送信する過程と、
前記中継局が前記端末から受け取ったデータを送信するためのスケジューリング情報を前記中継局に送信する過程と、
を含むことを特徴とする請求項３９に記載の方法。
【請求項４１】
前記中継局から受け取ったデータは、ＡＣＫメッセージを含むことを特徴とする請求項３９に記載の方法。
【請求項４２】
前記中継局からデータが受信される場合、前記端末にＡＣＫメッセージを送信する過程をさらに含むことを特徴とする請求項３９に記載の方法。
【請求項４３】
前記中継局からＮＡＣＫメッセージが受信される場合、前記端末に前記データの再送信を要請する過程をさらに含むことを特徴とする請求項３９に記載の方法。
【請求項４４】
前記中継局から受け取ったデータにエラーがない場合、前記中継局と前記端末のうち少なくとも一つのノードにＡＣＫメッセージを送信する過程をさらに含むことを特徴とする請求項３９に記載の方法。
【請求項４５】
前記データが再送信される場合、前記再送信のための有効時間を確認する過程と、
前記有効時間が満了すると、前記データの再送信を終了する過程と、をさらに含むことを特徴とする請求項３９に記載の方法。
【請求項４６】
中継方式を使用する無線通信システムの中継局における再送信方法であって、
端末がデータを送信するためのスケジューリング情報を利用して、前記端末からデータを受信する過程と、
前記受信したデータのエラーを確認する過程と、
前記データにエラーがない場合、前記データを基地局に送信する過程と、
前記基地局から再送信要請信号が受信される場合、前記データを前記基地局に再送信する過程と、
を含むことを特徴とする方法。
【請求項４７】
前記スケジューリング情報は、前記基地局から受信されることを特徴とする請求項４６に記載の方法。
【請求項４８】
前記スケジューリング情報は、前記基地局から前記端末に送信するスケジューリング情報から聴取されることを特徴とする請求項４６に記載の方法。
【請求項４９】
前記基地局に送信するデータは、ＡＣＫメッセージを含むことを特徴とする請求項４６に記載の方法。
【請求項５０】
前記端末から受け取ったデータにエラーが発生した場合、前記基地局にＮＡＣＫメッセージを送信する過程をさらに含むことを特徴とする請求項４６に記載の方法。
【請求項５１】
前記データの再送信を行う場合、前記再送信のための有効時間を確認する過程と、
前記有効時間が満了すると、前記データの再送信を終了する過程と、をさらに含むことを特徴とする請求項４６に記載の方法。
【請求項５２】
中継方式を使用する無線通信システムの中継局装置であって、
端末から受信されるデータのエラーを検査するための検査部と、
エラーが発生しないデータを保存するためのデータキューと、
基地局の再送信要請に応じて前記データの再送信を制御する再送信制御器と、
前記再送信制御器の制御に応じて前記データキューに保存されたデータを利用して、前記基地局に再送信するためのデータを生成するデータ生成部と、
前記生成されたデータを基地局に送信するための送信部と、
を備えることを特徴とする装置。
【請求項５３】
前記基地局から受信する再送信要請信号を確認するメッセージ処理部をさらに備え、
前記再送信制御部は、前記メッセージ処理部で前記基地局から受け取った再送信要請信号が確認されると、前記データの再送信を行うように制御することを特徴とする請求項５２に記載の装置。
【請求項５４】
前記再送信制御部の制御に応じて再送信を行う場合、再送信のための有効時間を管理する再送信タイマーをさらに備え、
前記再送信制御器は、前記再送信有効時間が終了する場合、前記データの再送信を終了することを特徴とする請求項５２に記載の装置。
【発明の詳細な説明】
【技術分野】
【０００１】
本発明は、無線通信システムにおける自動再送信要請（Ａｕｔｏｍａｔｉｃ  Ｒｅｔｒａｎｓｍｉｓｓｉｏｎ  ｒｅＱｕｅｓｔ：以下、ＡＲＱとする）を行うための装置及び方法に関し、特に、中継方式を使用する無線通信システムにおいてＡＲＱを行うための装置及び方法に関する。
【背景技術】
【０００２】
無線通信システムでは、データを送信する無線資源のチャネル状態に応じて特定データにエラー（ｅｒｒｏｒ）が発生しうる。このようなエラーに対する制御及び復元技術は、大きくＡＲＱ技法とＦＥＣ（Ｆｒａｍｅ  Ｅｒｒｏｒ  Ｃｈｅｃｋ）技法とに分けられる。ここで、ＡＲＱ技法は、受信端で損失されたデータに対して送信端に再送信（ｒｅｔｒａｎｓｍｉｓｓｉｏｎ）を要請する技法である。また、ＦＥＣ技法は、受信端で損失されたデータに対するエラーを訂正する技法である。
【０００３】
無線通信システムにおいてＡＲＱ技法を使用する場合、受信端は、受信されたパケットを復号してエラーが発生したか否かを確認する。このとき、受信されたパケットにエラーが発生しない場合、受信端は、送信端にＡＣＫ信号を送信する。
【０００４】
一方、受信されたパケットにエラーが発生した場合、受信端は、送信端にＮＡＣＫ信号を送信する。
【０００５】
送信端は、受信端からＡＣＫ信号が受信されると、新しいパケットを送信する。一方、受信端からＮＡＣＫ信号が受信されると、送信端は、受信端にエラーが発生したパケットを再送信する。
【０００６】
最近、無線通信システムは、セルの境界や陰影地域に位置する端末にさらに優れた無線チャネルを提供するために、中継局を利用した中継方式を使用する。即ち、中継方式を使用する無線通信システムは、中継局を利用して基地局と端末との間で送受信されるデータを中継して、基地局と端末との間にさらに優れた無線チャネルを提供することができる。
【０００７】
したがって、中継方式を使用する無線通信システムは、中継局を利用したＡＲＱ遂行方法が必要である。
【発明の概要】
【発明が解決しようとする課題】
【０００８】
そこで、本発明の目的は、中継方式を使用する無線通信システムにおいて自動再送信要請（Ａｕｔｏｍａｔｉｃ  Ｒｅｔｒａｎｓｍｉｓｓｉｏｎ  ｒｅＱｕｅｓｔ）を行うための装置及び方法を提供することにある。
【０００９】
本発明の他の目的は、中継方式を使用する無線通信システムにおいてアップリンク信号の自動再送信要請を行うための装置及び方法を提供することにある。
【課題を解決するための手段】
【００１０】
上述した目的を達成するための本発明の第１態様によれば、中継方式を使用する無線通信システムの基地局における再送信方法は、端末からデータを受け取った中継局から前記データに対するＡＣＫメッセージ又はＮＡＣＫメッセージが受信されているか否かを確認する過程と、前記中継局からＡＣＫメッセージが受信される場合、前記中継局に前記データを送信するためのスケジューリング情報を送信する過程と、前記中継局からデータが受信される場合、前記データのエラーを確認する過程と、前記データにエラーが発生した場合、前記中継局に前記データの再送信を要請する過程とを含むことを特徴とする。
【００１１】
上述した目的を達成するための本発明の第２態様によれば、中継方式を使用する無線通信システムの中継局における再送信方法は、端末がデータを送信するためのスケジューリング情報を利用して、前記端末からデータを受信する過程と、前記受信されるデータのエラーを確認する過程と、前記データにエラーがない場合、基地局にＡＣＫメッセージを送信する過程と、前記基地局から受け取った、前記端末から受け取ったデータを送信するためのスケジューリング情報を利用して、前記データを前記基地局に送信する過程と、前記基地局から再送信要請信号が受信される場合、前記基地局に前記データを再送信する過程とを含むことを特徴とする。
【００１２】
上述した目的を達成するための本発明の第３態様によれば、中継方式を使用する無線通信システムの基地局における再送信方法は、端末からデータを受け取る場合、前記データのエラーを確認する過程と、前記データにエラーが発生した場合、前記中継局が前記端末から受け取ったデータに対するＡＣＫメッセージ又はＮＡＣＫメッセージが受信されているか否かを確認する過程と、前記中継局からＡＣＫメッセージが受信される場合、前記データの再送信のためのノードを決定する過程と、前記再送信のためのノードとして中継局が選択される場合、前記中継局に前記データの再送信を要請する過程とを含むことを特徴とする。
【００１３】
上述した目的を達成するための本発明の第４態様によれば、中継方式を使用する無線通信システムの中継局における再送信方法は、端末がデータを送信するためのスケジューリング情報を確認する過程と、前記スケジューリング情報を利用して、前記端末からデータを受信する過程と、前記受信したデータのエラーを確認する過程と、前記データにエラーがない場合、基地局にＡＣＫメッセージを送信する過程と、前記基地局から再送信要請信号が受信される場合、前記基地局に前記データを送信する過程とを含む。
【００１４】
上述した目的を達成するための本発明の第５態様によれば、中継方式を使用する無線通信システムの基地局における再送信方法は、端末と中継局がデータを送信するためのスケジューリング情報を前記端末と中継局に送信する過程と、前記端末からデータを受け取る中継局からデータが受信される場合、前記データのエラーを確認する過程と、前記データにエラーが発生した場合、前記中継局に前記エラーの発生したデータの再送信を要請する過程とを含む。
【００１５】
上述した目的を達成するための本発明の第６態様によれば、中継方式を使用する無線通信システムの中継局における再送信方法は、端末がデータを送信するためのスケジューリング情報を利用して、前記端末からデータを受信する過程と、前記受信したデータのエラーを確認する過程と、前記データにエラーがない場合、前記データを基地局に送信する過程と、前記基地局から再送信要請信号が受信される場合、前記データを前記基地局に再送信する過程とを含む。
【００１６】
上述した目的を達成するための本発明の第７態様によれば、中継方式を使用する無線通信システムの中継局装置は、端末から受信されるデータのエラーを検査するための検査部と、前記エラーが発生しないデータを保存するためのデータキューと、基地局の再送信要請に応じて前記データの再送信を制御する再送信制御器と、前記再送信制御器の制御に応じて前記データキューに保存されたデータを利用して、前記基地局に再送信するためのデータを生成するデータ生成部と、前記生成されたデータを基地局に送信するための送信部とを備えることを特徴とする。
【発明の効果】
【００１７】
本発明は、中継方式を使用する無線通信システムにおいて中継局を利用したアップリンク信号に対する自動再送信要請（ＡＲＱ：Ａｕｔｏｍａｔｉｃ  Ｒｅｔｒａｎｓｍｉｓｓｉｏｎ  ｒｅＱｕｅｓｔ）を行うことで、中継局は、基地局に対してエラーのないデータのみ再送信を行って、基地局は、データに対して信頼度を向上させることができるという利点がある。
【図面の簡単な説明】
【００１８】
【図１】本発明の実施の形態による中継方式を使用する無線通信システムの構成を示す図である。
【図２】本発明の実施の形態による中継方式を使用する無線通信システムにおけるアップリンク信号を再送信するための手順を示す図である。
【図３】本発明の他の実施の形態による中継方式を使用する無線通信システムにおけるアップリンク信号を再送信するための手順を示す図である。
【図４】本発明の実施の形態による中継方式を使用する無線通信システムにおけるアップリンク信号を再送信するための基地局の動作手順を示す図である。
【図５】本発明の実施の形態による中継方式を使用する無線通信システムにおけるアップリンク信号を中継する中継局の動作手順を示す図である。
【図６】本発明の実施の形態による中継方式を使用する無線通信システムにおけるアップリンク信号を中継するための端末の動作手順を示す図である。
【図７】本発明の他の実施の形態による中継方式を使用する無線通信システムにおけるアップリンク信号を再送信するための手順を示す図である。
【図８】本発明のさらに他の実施の形態による中継方式を使用する無線通信システムにおけるアップリンク信号を再送信するための手順を示す図である。
【図９】本発明のさらに他の実施の形態による中継方式を使用する無線通信システムにおけるアップリンク信号を再送信するための基地局の動作手順を示す図である。
【図１０】本発明のさらに他の実施の形態による中継方式を使用する無線通信システムにおけるアップリンク信号を中継する中継局の動作手順を示す図である。
【図１１】本発明のさらに他の実施の形態による中継方式を使用する無線通信システムにおけるアップリンク信号を再送信するための手順を示す図である。
【図１２】本発明のさらに他の実施の形態による中継方式を使用する無線通信システムにおけるアップリンク信号を再送信するための手順を示す図である。
【図１３】本発明のさらに他の実施の形態による中継方式を使用する無線通信システムにおけるアップリンク信号を再送信するための手順を示す図である。
【図１４】本発明のさらに他の実施の形態による中継方式を使用する無線通信システムにおけるアップリンク信号を再送信するための基地局の動作手順を示す図である。
【図１５】本発明のさらに他の実施の形態による中継方式を使用する無線通信システムにおけるアップリンク信号を中継する中継局の動作手順を示す図である。
【図１６】本発明による中継方式を使用する無線通信システムにおける中継局のブロック構成を示す図である。
【発明を実施するための形態】
【００１９】
本発明の構成を、添付された図面を参照して詳細に説明する。同一又は類似した構成要素に対しては、たとえ他の図面上に表示されても同一又は類似した符号を付していることに留意すべきである。そして、関連した公知機能あるいは構成についての具体的な説明が本発明の要旨を不明にするおそれがあると判断された場合には、その詳細な説明を省略する。
【００２０】
以下、本発明は、中継方式を使用する無線通信システムにおけるアップリンクの自動再送信要請（Ａｕｔｏｍａｔｉｃ  Ｒｅｔｒａｓｍｉｓｓｉｏｎ  ｒｅＱｕｅｓｔ：以下、ＡＲＱとする）を行うための技術について説明する。
【００２１】
以下、直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）方式を使用する無線通信システムを例に挙げて説明し、他の多重接続方式の通信システムにも同様に適用可能である。
【００２２】
上記の無線通信システムは、中継サービスを提供するために、下記の図１に示すように構成される。
【００２３】
図１は、本発明の実施の形態による中継方式を使用する無線通信システムの構成を示している。
【００２４】
図１に示すように、無線通信システムにおける基地局１００は、サービス領域に位置する端末１２０と直接リンクを介してサービスを提供する。
【００２５】
しかしながら、端末１２０が基地局１００のサービス領域の郊外（ｏｕｔｓｋｉｒｔ）（セル境界地域）に位置するか、又は陰影地域に位置する場合、基地局１００は、中継局１１０を利用した中継リンクを利用して、端末１２０に高速のデータチャネルを提供する。
【００２６】
例えば、ダウンリンクの場合、端末１２０は、基地局１００のサービス領域に含まれるから、基地局１００と直接リンクを介して制御信号及び低速のデータを受ける。また、端末１２０は、中継局１１０を介して基地局１００から高速のデータを受け取る。
【００２７】
アップリンクの場合、基地局１００は、直接リンクを介して端末１２０から制御信号及び低速のデータチャネルを受け取る。また、基地局１００は、中継局１１０を介して端末１２０から高速のデータを受け取る。
【００２８】
上述のように、中継方式を使用する無線通信システムにおける基地局、中継局及び端末は、互いに通信を行うことができる。
【００２９】
即ち、端末は、チャネル状態に応じて直接リンクを介して基地局と通信を行うか、又は中継局を利用した中継リンクを介して基地局と通信を行うことができる。
【００３０】
万一、端末と基地局とが直接リンクを介して通信を行う場合、中継局は、端末が基地局に送信するデータを聴取することができる。したがって、基地局で受信したデータにエラーが発生する場合、基地局は、エラーの発生するデータを再送信するためのノードを選択することができる。例えば、基地局は、端末と中継局からデータを受信する受信成功率を確認して、受信成功率の良いノードを選択してエラーの発生したデータに対する再送信を要請することができる。
【００３１】
以下、無線通信システムにおけるアップリンク信号を再送信するための手順について説明する。
【００３２】
まず、基地局でエラーの発生したアップリンクデータを中継局から再送信される場合、無線通信システムは、下記の図２又は図３に示すように動作する。
【００３３】
図２は、本発明の実施の形態による中継方式を使用する無線通信システムにおけるアップリンク信号を再送信するための手順を示している。
【００３４】
図２に示すように、基地局２００は、端末２０４がデータを送信するための資源のスケジューリング情報を端末２０４に送信する（ステップ２１１、ステップ２１３）。例えば、基地局２００は、スケジューリング情報を中継局２０２を介して端末２０４に送信するか、又は中継局２０２と端末２０４とにそれぞれ送信する。
【００３５】
他の実施の形態として、基地局２００は、スケジューリング情報を端末２０４に直接送信する。このとき、中継局２０２は、基地局２００が端末２０４に送信するスケジューリング情報を聴取して、端末２０４のスケジューリング情報を確認することができる。ここで、端末２０４は、中継局２０２を介して中継サービスを受けることのできる端末のことを意味する。
【００３６】
中継局２０２と端末２０４とは、基地局２００から受け取ったスケジューリング情報を利用して、端末２０４がデータを送信する時点及び資源情報を確認する。
【００３７】
以後、端末２０４は、スケジューリング情報に応じてデータを中継局２０２に送信する（ステップ２１５）。万一、端末２０４が中継局２０２を認識できない場合、端末２０４は、データを基地局２００に送信することもできる。この場合、中継局２０２は、スケジューリング情報に応じて端末２０４が基地局２００に送信したデータを聴取して確認する。
【００３８】
中継局２０２は、端末２０４から受け取ったデータのエラー検査を行う（ステップ２１７）。例えば、中継局２０２は、データのエラーチェックコード（ＣＲＣ：Ｃｙｃｌｉｃ  Ｒｅｄｕｎｄａｎｃｙ  Ｃｈｅｃｋ）を利用して、データのエラー検査を行う。
【００３９】
このとき、基地局２００は、端末２０４に送信したスケジューリング情報に応じて、端末２０４が中継局２０２からデータを送信する時点を認識することができる。したがって、基地局２００は、端末２０４がデータを送信する時点を考慮して、中継局２０２が端末２０４から受け取ったデータを自身に送信するためのスケジューリング情報を、中継局２０２に送信する（ステップ２１９）。
【００４０】
万一、端末２０４から受け取ったデータにエラーがない場合、中継局２０２は、ステップ２１９にて受け取ったスケジューリング情報を利用して、データを基地局２００に送信する（ステップ２２１）。このとき、中継局２０２は、データにＡＣＫメッセージを含めて送信する。
【００４１】
基地局２００は、中継局２０２から受け取ったデータのエラー検査を行う（ステップ２２３）。例えば、基地局２００は、データのエラーチェックコードを利用して、データのエラー検査を行う。
【００４２】
万一、中継局２０２から受け取ったデータにエラーがない場合、基地局２００は、中継局２０２又は端末２０４にＡＣＫメッセージを送信する（ステップ２２５、ステップ２２７）。例えば、基地局２００は、中継局２０２と端末２０４とにそれぞれＡＣＫメッセージを送信するか、又は中継局２０２を介して端末２０４にＡＣＫメッセージを送信する。
【００４３】
他の実施の形態として、基地局２００は、端末２０４のみにＡＣＫメッセージを送信することができる。このとき、中継局２０２は、基地局２００が端末２０４に送信するＡＣＫメッセージを聴取して、基地局２００に送信したデータにエラーがないことを確認する。また、中継局２０２は、基地局２００から一定時間の間にＮＡＣＫメッセージ又はデータ再送信のためのスケジューリング情報が受信されないと、基地局２００に送信したデータにエラーがないと見なす。
【００４４】
上述した実施の形態において、基地局２００は、中継局２０２を介して端末２０４が送信したデータをエラー無しで受信すると、中継局２０２又は端末２０４にＡＣＫメッセージを送信する。他の実施の形態として、基地局２００は、２２１ステップのように中継局２０２からＡＣＫメッセージの含まれたデータを受信すると、中継局２０２から受け取ったデータのエラー発生有無にかかわらず端末２０４にＡＣＫメッセージを送信する。この場合、基地局２００は、中継局２０２から受信したデータにエラーがないと、中継局２０２にＡＣＫメッセージを送信するか、又はＡＣＫメッセージを送信しない。
【００４５】
図３は、本発明の他の実施の形態による中継方式を使用する無線通信システムにおけるアップリンク信号を再送信するための手順を示している。以下、図２で中継局２０２が端末２０４から受け取ったデータと基地局２００が中継局２０２から受け取ったデータにエラーが発生すると仮定して説明する。
【００４６】
図３に示すように、基地局３００は、端末３０４がデータを送信するための資源のスケジューリング情報を端末３０４に送信する（ステップ３１１、ステップ３１３）。例えば、基地局３００は、中継局３０２と端末３０４とにそれぞれスケジューリング情報を送信するか、又は中継局３０２を介して端末３０４に送信する。
【００４７】
他の実施の形態として、基地局３００は、端末３０４のみにスケジューリング情報を送信する。このとき、中継局３０２は、基地局３００が端末３０４に送信するスケジューリング情報を聴取して、端末３０４のスケジューリング情報を確認することができる。ここで、端末３０４は、中継局３０２を介して中継サービスを受けることのできる端末を示す。
【００４８】
中継局３０２と端末３０４とは、基地局３００から受け取ったスケジューリング情報を利用して、端末３０４がデータを送信する時点及び資源情報を確認する。
【００４９】
以後、端末３０４は、スケジューリング情報に応じてデータを中継局３０２に送信する（ステップ３１５）。万一、端末３０４が中継局３０２を認識できない場合、端末３０４は、基地局３００にデータを送信することもできる。この場合、中継局３０２は、スケジューリング情報に応じて端末３０４が基地局３００に送信したデータを聴取して確認する。
【００５０】
中継局３０２は、端末３０４から受け取ったデータのエラー検査を行う（ステップ３１７）。例えば、中継局３０２は、データのエラーチェックコードを利用して、データのエラー検査を行う。
【００５１】
このとき、基地局３００は、端末３０４に送信したスケジューリング情報に応じて、端末３０４が中継局３０２からデータを送信する時点情報を認識することができる。したがって、基地局３００は、端末３０２がデータを送信する時点を考慮して、中継局３０２が端末３０４から受け取ったデータを自身に送信するためのスケジューリング情報を中継局３０２に送信する（ステップ３１９）。
【００５２】
万一、端末３０４から受け取ったデータにエラーが発生した場合、中継局３０２は、スケジューリング情報を利用してＮＡＣＫメッセージを基地局３００に送信する（ステップ３２１）。
【００５３】
基地局３００は、中継局３０２からＮＡＣＫメッセージを受け取ると、端末３０４に再送信を要請するＮＡＣＫメッセージを送信する（ステップ３２３）。
【００５４】
以後、基地局３００は、端末３０４がエラーの発生したデータを再送信するためのスケジューリング情報を端末３０４に送信する（ステップ３２５、ステップ３２７）。例えば、基地局３００は、中継局３０２と端末３０４とにそれぞれスケジューリング情報を送信するか、又は中継局３０２を介して端末３０４にスケジューリング情報を送信する。
【００５５】
他の実施の形態として、基地局３００は、端末３０４のみにスケジューリング情報を送信することができる。このとき、中継局３０２は、基地局３００が端末３０４に送信するスケジューリング情報を聴取して確認することができる。
【００５６】
中継局３０２と端末３０４とは、基地局３００から受け取ったスケジューリング情報を利用して、端末３０４がデータを再送信するための時点及び資源情報を確認する。
【００５７】
以後、端末３０４は、スケジューリング情報に応じてデータを中継局３０２に再送信する（ステップ３２９）。万一、端末３０４が中継局３０２を認識できない場合、端末３０４は、基地局３００にデータを再送信することもできる。この場合、中継局３０２は、スケジューリング情報に応じて端末３０４が基地局３００に再送信したデータを聴取して確認する。
【００５８】
中継局３０２は、端末３０４から受け取った再送信データのエラー検査を行う（ステップ３３１）。例えば、中継局３０２は、データのエラーチェックコードを利用して、データのエラー検査を行う。
【００５９】
このとき、基地局３００は、端末３０４に送信したスケジューリング情報に応じて、端末３０４が中継局３０２からデータを再送信する時点情報を認識することができる。したがって、基地局３００は、端末３０２がデータを再送信する時点を考慮して、中継局３０２が端末３０４から受け取った再送信データを自身に送信するためのスケジューリング情報を中継局３０２に送信する（ステップ３３３）。
【００６０】
万一、端末３０４から受け取ったデータにエラーがない場合、中継局３０２は、ステップ３３３にて受け取ったスケジューリング情報を利用して、端末３０４から受け取った再送信データを基地局３００に送信する（ステップ３３５）。このとき、中継局３０２は、データにＡＣＫメッセージを含めて送信する。
【００６１】
基地局３００は、中継局３０２から受け取ったデータのエラー検査を行う（ステップ３３７）。例えば、基地局３００は、データのエラーチェックコードを利用して、データのエラー検査を行う。
【００６２】
万一、中継局３０２から受け取ったデータにエラーが発生した場合、基地局３００は、中継局３０２にＮＡＣＫメッセージとエラーの発生したデータを再送信するためのスケジューリング情報を中継局３０２に送信する（ステップ３３９、ステップ３４１）。このとき、基地局３００は、エラーの発生したデータを再送信するためのスケジューリング情報のみを中継局３０２に送信することもできる。
【００６３】
中継局３０２は、基地局３００からＮＡＣＫメッセージが受信されると、基地局３００に送信したデータにエラーが発生したと認識する。したがって、中継局３０２は、ステップ３４１にて基地局３００から受け取ったスケジューリング情報に応じて、エラーの発生したデータを基地局３００に再送信する（ステップ３４３）。
【００６４】
基地局３００は、中継局３０２から受け取った再送信データのエラー検査を行う（ステップ３４５）。例えば、基地局３００は、データのエラーチェックコードを利用して、データのエラー検査を行う。
【００６５】
万一、中継局３０２から受け取ったデータにエラーがない場合、基地局３００は、中継局３０２又は端末３０４にＡＣＫメッセージを送信する（ステップ３４７、ステップ３４９）。例えば、基地局３００は、中継局３０２と端末３０４とにそれぞれＡＣＫメッセージを送信するか、又は中継局３０２を介して端末３０４にＡＣＫメッセージを送信する。
【００６６】
他の実施の形態として、基地局３００は、端末３０４のみにＡＣＫメッセージを送信することができる。このとき、中継局３０２は、基地局３００が端末３０４に送信するＡＣＫメッセージを聴取して、基地局３００に送信したデータにエラーがないことを確認する。また、中継局３０２は、基地局３００から一定時間の間にＮＡＣＫメッセージ又はデータ再送信のためのスケジューリング情報が受信されないと、基地局３００に送信したデータにエラーがないと見なす。
【００６７】
上述した実施の形態において基地局３００は、中継局３０２を介して端末３０４が送信したデータをエラー無しで受信すると、中継局３０２又は端末３０４にＡＣＫメッセージを送信する。他の実施の形態として基地局３００は、３３５ステップのように中継局３０２からＡＣＫメッセージの含まれたデータを受信すると、中継局３０２から受け取ったデータのエラー発生有無に係わらず端末３０４にＡＣＫメッセージを送信する。この場合、基地局３００は、中継局３０２から受け取ったデータにエラーがないと、中継局３０２にＡＣＫメッセージを送信するか、又はＡＣＫメッセージを送信しない。
【００６８】
以下、図２又は図３に示すようにアップリンクデータの再送信を行う基地局、中継局及び端末の動作について説明する。
【００６９】
図４は、本発明の実施の形態による中継方式を使用する無線通信システムにおけるアップリンク信号を再送信するための基地局の動作手順を示している。ここで、基地局は、中継局を介して受け取った端末のアップリンクデータにエラーがない場合、中継局又は端末にＡＣＫメッセージを送信すると仮定して説明する。
【００７０】
図４に示すように、まず基地局は、ステップ４０１にて中継局と端末とがアップリンクデータを送信するためのスケジューリング情報を中継局と端末とに送信する。例えば、基地局は、端末のスケジューリング情報を中継局と端末とにそれぞれ送信するか、又は中継局を介して端末にスケジューリング情報を送信する。他の実施の形態として、基地局は、端末のみにスケジューリング情報を送信する。このとき、中継局は、基地局が端末に送信するスケジューリング情報を聴取して、端末のスケジューリング情報を確認することができる。
【００７１】
また、基地局は、中継局が端末から受け取ったデータを基地局に送信するためのスケジューリング情報を中継局に送信する。ここで、基地局は、端末が中継局にデータを送信する時点を考慮して、スケジューリング情報を中継局に送信する。
【００７２】
スケジューリング情報を送信した後、基地局は、ステップ４０３に進んで、中継局が端末から受け取ったデータを送信するためのスケジューリング情報に応じて、中継局からＡＣＫメッセージを含むデータが受信されているか否かを確認する。
【００７３】
万一、スケジューリング情報に応じてＡＣＫメッセージではないＮＡＣＫメッセージが受信されると、基地局は、ステップ４０９に進んで端末にデータの再送信を要請するＮＡＣＫメッセージを送信する。
【００７４】
一方、スケジューリング情報に応じてＡＣＫ情報を含むデータが受信されると、基地局は、ステップ４０５に進んでデータのエラーを確認する。例えば、基地局は、エラーチェックコードを利用して、データのエラーを検査する。
【００７５】
万一、データにエラーが発生した場合、基地局は、ステップ４１１に進んでデータを再送信するためのスケジューリング情報を中継局に送信する。例えば、基地局は、中継局にＮＡＣＫメッセージを送信した後、データを再送信するためのスケジューリング情報を送信する。他の実施の形態としては、基地局は、中継局にデータを再送信するためのスケジューリング情報のみを送信することができる。
【００７６】
一方、データにエラーが発生しない場合、基地局は、ステップ４０７に進んで中継局又は端末にＡＣＫメッセージを送信する。例えば、基地局は、中継局と端末とにそれぞれＡＣＫメッセージを送信するか、又は中継局を介して端末にＡＣＫメッセージを送信する。他の実施の形態として、基地局は、端末のみにＡＣＫメッセージを送信することができる。
【００７７】
その後、基地局は、このアルゴリズムを終了する。
【００７８】
上述のように、基地局は、データにエラーが発生する場合、中継局又は端末にデータに対する再送信を要請して再送信手順を行う。このとき、基地局は、再送信のための有効時間が満了すると、再送信手順を終了する。
【００７９】
図５は、本発明の実施の形態による中継方式を使用する無線通信システムにおけるアップリンク信号を中継する中継局の動作手順を示している。
【００８０】
図５に示すように、まず中継局は、ステップ５０１にて端末のアップリンクスケジューリング情報を確認する。例えば、中継局は、基地局から端末のアップリンクスケジューリング情報を受け取る。他の実施の形態として中継局は、基地局が端末に送信するアップリンクスケジューリング情報を聴取して、スケジューリング情報を確認する。
【００８１】
端末のスケジューリング情報を確認した後、中継局は、ステップ５０３に進んでスケジューリング情報を利用して、端末からデータが受信されているか否かを確認する。
【００８２】
万一、一定時間の間に端末からデータが受信されないと、中継局は、ステップ５０１に戻って端末のアップリンクスケジューリング情報を確認する。
【００８３】
一方、データが受信されると、中継局は、ステップ５０５に進んでデータのエラーを確認する。例えば、中継局は、エラーチェックコードを利用して、データのエラーを確認する。
【００８４】
万一、データにエラーが発生すると、中継局は、ステップ５１３に進んで、中継局が端末から受け取ったデータを送信できるように基地局から送信されるスケジューリング情報を確認する。
【００８５】
以後、中継局は、ステップ５１５に進んで、ステップ５１３にて確認したスケジューリング情報に応じて、基地局にＮＡＣＫメッセージを送信する。その後、中継局は、ステップ５０１に進んで端末のアップリンクスケジューリング情報を確認する。
【００８６】
一方、ステップ５０５にてデータにエラーが発生しないと、中継局は、ステップ５０７に進んで、中継局が端末から受け取ったデータを送信できるように基地局から送信されるスケジューリング情報を確認する。
【００８７】
以後、中継局は、ステップ５０９に進んでスケジューリング情報に応じて、端末から受け取ったデータを基地局に送信する。このとき、データは、ＡＣＫメッセージを含む。
【００８８】
データを送信した後、中継局は、ステップ５１１に進んで基地局から再送信要請信号が受信されているか否かを確認する。ここで、再送信要請信号は、ＮＡＣＫメッセージ又は再送信のためのスケジューリング情報を含む。
【００８９】
万一、基地局から再送信要請信号が受信されると、中継局は、ステップ５０７に進んでデータを再送信するためのスケジューリング情報を確認する。例えば、中継局は、基地局からＮＡＣＫメッセージが受信されると、中継局は、基地局に送信したデータにエラーが発生したと認識して、基地局からデータを再送信するためのスケジューリング情報を受け取る。他の実施の形態として、中継局は、基地局からデータを再送信するためのスケジューリング情報を受け取ると、基地局に送信したデータにエラーが発生したと認識する。
【００９０】
一方、ステップ５１１にて基地局から再送信要請信号が受信されないと、中継局は、このアルゴリズムを終了する。例えば、中継局は、基地局からＡＣＫメッセージが受信されると、このアルゴリズムを終了する。ここで、中継局は、基地局が送信するＡＣＫメッセージを受信するか、又は基地局が端末に送信するＡＣＫメッセージを聴取して、ＡＣＫメッセージを確認することができる。他の実施の形態として、中継局は、一定時間の間に基地局から再送信要請信号が受信されないと、基地局に送信したデータにエラーがないと見なして、このアルゴリズムを終了する。
【００９１】
上述のように、中継局は、基地局の再送信要請に応じてデータの再送信手順を行う。このとき、中継局は、再送信のための有効時間が満了すると、再送信手順を終了する。
【００９２】
図６は、本発明の実施の形態による中継方式を使用する無線通信システムにおけるアップリンク信号を中継するための端末の動作手順を示している。
【００９３】
図６に示すように、まず端末は、ステップ６０１に進んで、基地局からアップリンクデータを送信するためのスケジューリング情報が受信されているか否かを確認する。
【００９４】
万一、スケジューリング情報が受信されると、端末は、ステップ６０３に進んでスケジューリング情報に応じて、基地局又は中継局にデータを送信する。例えば、中継局を認識する場合、端末は、スケジューリング情報に応じて中継局にデータを送信することができる。一方、中継局を認識できない場合、端末は、スケジューリング情報に応じて基地局にデータを送信する。
【００９５】
データを送信した後、端末は、ステップ６０５に進んで基地局からＡＣＫメッセージが受信されているか否かを確認する。
【００９６】
万一、ＡＣＫメッセージではないＮＡＣＫメッセージが受信されるか、又は一定時間の間にＡＣＫメッセージが受信されないと、端末は、ステップ６０１に戻って基地局からデータを再送信するためのスケジューリング情報が受信されているか否かを確認する。
【００９７】
一方、ＡＣＫメッセージが受信されると、端末は、このアルゴリズムを終了する。
【００９８】
また、基地局でエラーの発生したアップリンクデータを中継局が再送信する場合、無線通信システムは、下記の図７又は下記の図８のように動作する。
【００９９】
図７は、本発明のさらに他の実施の形態による中継方式を使用する無線通信システムにおけるアップリンク信号を再送信するための手順を示している。
【０１００】
図７に示すように、基地局７００は、端末７０４がデータを送信するための資源のスケジューリング情報を中継局７０２又は端末７０４に送信する（ステップ７１１、ステップ７１３）。例えば、基地局７００は、中継局７０２と端末７０４とにそれぞれスケジューリング情報を送信するか、又は中継局７０２を介して端末７０４にスケジューリング情報を送信する。
【０１０１】
他の実施の形態として、基地局７００は、端末７０４のみにスケジューリング情報を送信することができる。このとき、中継局７０２は、基地局７００が端末７０４に送信したスケジューリング情報を聴取して、端末７０４のスケジューリング情報を確認することができる。
【０１０２】
中継局７０２と端末７０４は、基地局７００から受け取ったスケジューリング情報を利用して、端末７０４がデータを送信する時点及び資源情報を確認する。
【０１０３】
以後、端末７０４は、スケジューリング情報に応じてデータを中継局７０２に送信する（ステップ７１５）。万一、端末７０４が中継局７０２を認識できない場合、端末７０４は、基地局７００にデータを送信することもできる。このとき、中継局７０２は、スケジューリング情報に応じて端末７０４が基地局７００に送信したデータを聴取して確認する。
【０１０４】
中継局７０２は、端末７０４から受け取ったデータのエラー検査を行う（ステップ７１７）。例えば、中継局７０２は、データのエラーチェックコードを利用して、データのエラー検査を行う。
【０１０５】
万一、端末７０４から受け取ったデータにエラーがない場合、中継局７０２は、基地局７００から受け取ったＡＣＫ／ＮＡＣＫメッセージを送信するためのスケジューリング情報に応じて、基地局７００にＡＣＫメッセージを送信する（ステップ７１９）。ここで、基地局７００は、端末７０４が中継局７０２にデータを送信する時点に応じて、中継局７０２にＡＣＫ／ＮＡＣＫメッセージを送信するためのスケジューリング情報を送信する。
【０１０６】
基地局７００は、中継局７０２からＡＣＫメッセージが受信されると、中継局７０２が端末７０４から受け取ったデータを基地局７００に送信するためのスケジューリング情報を中継局７０２に送信する（ステップ７２１）。
【０１０７】
中継局７０２は、スケジューリング情報を利用して、端末７０４から受け取ったデータを基地局７００に送信する（ステップ７２３）。
【０１０８】
基地局７００は、中継局７０２から受け取ったデータのエラー検査を行う（ステップ７２５）。例えば、基地局７００は、データのエラーチェックコードを利用して、データのエラー検査を行う。
【０１０９】
万一、中継局７０２から受け取ったデータにエラーがない場合、基地局７００は、中継局７０２又は端末７０４にＡＣＫメッセージを送信する（ステップ７２７、ステップ７２９）。例えば、基地局７００は、中継局７０２と端末７０４とにそれぞれＡＣＫメッセージを送信するか、又は中継局７０２を介して端末７０４にＡＣＫメッセージを送信する。
【０１１０】
他の実施の形態としては、基地局７００は、端末７０４のみにＡＣＫメッセージを送信する。このとき、中継局７０２は、基地局７００が端末７０４に送信するＡＣＫメッセージを聴取して、基地局７００に送信したデータにエラーがないことを確認する。また、中継局７０２は、基地局７００から一定時間の間にＮＡＣＫメッセージ又はデータ再送信のためのスケジューリング情報が受信されないと、基地局７００に送信したデータにエラーがないと見なす。
【０１１１】
上述した実施の形態において基地局７００は、中継局７０２を介して端末７０４が送信したデータをエラー無しで受信すると、中継局７０２又は端末７０４にＡＣＫメッセージを送信する。他の実施の形態として、基地局７００は、ステップ７１９のように中継局７０２からＡＣＫメッセージを受信すると、端末７０４にＡＣＫメッセージを送信する。この場合、基地局７００は、中継局７０２から受け取ったデータにエラーがないと、中継局７０２にＡＣＫメッセージを送信するか、又はＡＣＫメッセージを送信しない。
【０１１２】
図８は、本発明のさらに他の実施の形態による中継方式を使用する無線通信システムにおけるアップリンク信号を再送信するための手順を示している。以下、図７において中継局７０２が端末７０４から受け取ったデータと基地局７００が中継局７０２から受け取ったデータとにエラーが発生すると仮定して説明する。
【０１１３】
図８に示すように、基地局８００は、端末８０４がアップリンクデータを送信するための資源のスケジューリング情報を中継局８０２又は端末８０４に送信する（ステップ８１１、ステップ８１３）。例えば、基地局８００は、中継局８０２と端末８０４とにそれぞれスケジューリング情報を送信するか、又は中継局８０２を介して端末８０４にスケジューリング情報を送信する。
【０１１４】
他の実施の形態として、基地局８００は、端末８０４のみにスケジューリング情報を送信することができる。このとき、中継局８０２は、基地局８００が端末８０４に送信したスケジューリング情報を聴取して、端末８０４のアップリンクスケジューリング情報を確認することができる。
【０１１５】
中継局８０２と端末８０４とは、基地局８００から受け取ったスケジューリング情報を利用して、端末８０４がデータを送信する時点及び資源情報を確認する。
【０１１６】
以後、端末８０４は、スケジューリング情報に応じてデータを中継局８０２に送信する（ステップ８１５）。万一、端末８０４が中継局８０２を認識できない場合、端末８０４は、基地局８００にデータを送信することもできる。この場合、中継局８０２は、スケジューリング情報に応じて端末８０４が基地局８００に送信したデータを聴取して確認する。
【０１１７】
中継局８０２は、端末８０４から受け取ったデータのエラー検査を行う（ステップ８１７）。例えば、中継局８０２は、データのエラーチェックコードを利用して、データのエラー検査を行う。
【０１１８】
万一、端末８０２から受け取ったデータにエラーが発生した場合、中継局８０２は、基地局８００から受け取ったＡＣＫ／ＮＡＣＫメッセージを送信するためのスケジューリング情報に応じて、ＮＡＣＫメッセージを基地局８００に送信する（ステップ８１９）。ここで、基地局８００は、端末８０４が中継局８０２にデータを送信する時点に応じて、中継局８０２にＡＣＫ／ＮＡＣＫメッセージを送信するためのスケジューリング情報を送信する。
【０１１９】
基地局８００は、中継局８０２からＮＡＣＫメッセージを受け取ると、端末８０４に再送信を要請するＮＡＣＫメッセージを送信する（ステップ８２１）。
【０１２０】
以後、基地局８００は、端末８０４のデータを再送信するためのスケジューリング情報を中継局８０２又は端末８０４に送信する（ステップ８２３、ステップ８２５）。例えば、基地局８００は、中継局８０２と端末８０４とにそれぞれスケジューリング情報を送信するか、又は中継局８０２を介して端末８０４にスケジューリング情報を送信する。
【０１２１】
他の実施の形態として、基地局８００は、端末８０４のみにスケジューリング情報を送信することができる。このとき、中継局８０２は、基地局８００が端末８０４に送信するスケジューリング情報を聴取して、端末８０４のアップリンクスケジューリング情報を確認することができる。
【０１２２】
中継局８０２と端末８０４とは、基地局８００から受け取ったスケジューリング情報を利用して、端末８０４がデータを再送信するための時点及び資源情報を確認する。
【０１２３】
以後、端末８０４は、スケジューリング情報に応じてデータを中継局８０２に再送信する（ステップ８２７）。万一、端末８０４が中継局８０２を認識できない場合、端末８０４は、基地局８００にデータを再送信することもできる。この場合、中継局８０２は、スケジューリング情報に応じて端末８０４が基地局８００に再送信したデータを聴取して確認する。
【０１２４】
中継局８０２は、端末８０４から受け取った再送信データのエラー検査を行う（ステップ８２９）。例えば、中継局８０２は、データのエラーチェックコードを利用して、データのエラー検査を行う。
【０１２５】
万一、端末８０４から再送信したデータにエラーがない場合、中継局８０２は、基地局８００から受け取ったＡＣＫ／ＮＡＣＫメッセージを送信するためのスケジューリング情報に応じて、ＡＣＫメッセージを基地局８００に送信する（ステップ８３１）。ここで、基地局８００は、端末８０４が中継局８０２にデータを送信する時点に応じて、中継局８０２にＡＣＫ／ＮＡＣＫメッセージを送信するためのスケジューリング情報を送信する。
【０１２６】
基地局８００は、中継局８０２からＡＣＫメッセージが受信されると、中継局８０２が端末８０４から受け取ったデータを基地局８００に送信するためのスケジューリング情報を中継局８０２に送信する（ステップ８３３）。
【０１２７】
中継局８０２は、スケジューリング情報に応じて端末８０４から受け取った再送信データを基地局８００に送信する（ステップ８３５）。
【０１２８】
基地局８００は、中継局８０２から受け取った再送信データのエラー検査を行う（ステップ８３７）。例えば、基地局８００は、データのエラーチェックコードを利用して、データのエラー検査を行う。
【０１２９】
万一、中継局８０２から受け取ったデータにエラーが発生した場合、基地局８００は、中継局８０２にＮＡＣＫメッセージと中継局８０２がデータを再送信するためのスケジューリング情報とを中継局８０２に送信する（ステップ８３９、ステップ８４１）。ここで、基地局８００は、スケジューリング情報のみを中継局８０２に送信できる。
【０１３０】
中継局８０２は、ＮＡＣＫメッセージが受信されると、基地局８００に送信したデータにエラーが発生したと認識して、基地局８００からのエラーの発生したデータを再送信するためのスケジューリング情報を確認する。以後、中継局８０２は、スケジューリング情報に応じてデータを基地局８００に再送信する（ステップ８４３）。
【０１３１】
基地局８００は、中継局８０２から受け取った再送信データのエラー検査を行う（ステップ８４５）。例えば、基地局８００は、データのエラーチェックコードを利用して、データのエラー検査を行う。
【０１３２】
万一、中継局８０２から再送信したデータにエラーがない場合、基地局８００は、中継局８０２又は端末８０４にＡＣＫメッセージを送信する（ステップ８４７、ステップ８４９）。例えば、基地局８００は、中継局８０２と端末８０４とにそれぞれＡＣＫメッセージを送信するか、又は中継局８０２を介して端末８０４にＡＣＫメッセージを送信する。
【０１３３】
他の実施の形態としては、基地局８００は、端末８０４のみにＡＣＫメッセージを送信することができる。このとき、中継局８０２は、基地局８００が端末８０４に送信するＡＣＫメッセージを聴取して、基地局８００に送信したデータにエラーがないことを確認する。また、中継局８０２は、基地局８００から一定時間の間にＮＡＣＫメッセージ又はデータ再送信のためのスケジューリング情報が受信されないと、基地局８００に送信したデータにエラーがないと見なす。
【０１３４】
上述した実施の形態において基地局８００は、中継局８０２を介して端末８０４が送信したデータをエラー無しで受信されると、中継局８０２又は端末８０４にＡＣＫメッセージを送信する。他の実施の形態として基地局８００は、ステップ８３１のように中継局８０２からＡＣＫメッセージを受信すると、端末８０４にＡＣＫメッセージを送信する。この場合、基地局８００は、中継局８０２から受け取ったデータにエラーがないと、中継局８０２にＡＣＫメッセージを送信するか、又はＡＣＫメッセージを送信しない。
【０１３５】
以下、図７又は図８に示すように、アップリンクデータの再送信を行う基地局と中継局の動作について説明する。
【０１３６】
図９は、本発明の他の実施の形態による中継方式を使用する無線通信システムにおけるアップリンク信号を再送信するための基地局の動作手順を示している。ここで、基地局は、中継局を介して受け取った端末のアップリンクデータにエラーがない場合、中継局又は端末にＡＣＫメッセージを送信すると仮定して説明する。
【０１３７】
図９に示すように、まず基地局は、ステップ９０１にて端末がアップリンクデータを送信するための資源のスケジューリング情報を中継局と端末とに送信する。例えば、基地局は、端末のスケジューリング情報を中継局と端末とにそれぞれ送信するか、又は中継局を介して端末にスケジューリング情報を送信する。他の実施の形態として、基地局は、端末のみにスケジューリング情報を送信する。このとき、中継局は、基地局が端末に送信するスケジューリング情報を聴取して、端末のスケジューリング情報を確認することができる。
【０１３８】
また、基地局は、中継局がＡＣＫ／ＮＡＣＫメッセージを送信するためのスケジューリング情報を中継局に送信する。ここで、基地局は、端末が中継局にデータを送信する時点に応じて、中継局にアップリンクデータを送信するためのスケジューリング情報を送信する。
【０１３９】
スケジューリング情報を送信した後、基地局は、ステップ９０３に進んで中継局からＡＣＫメッセージが受信されているか否かを確認する。
【０１４０】
万一、ＡＣＫメッセージではないＮＡＣＫメッセージが受信されると、基地局は、ステップ９１３に進んで端末にデータの再送信を要請するＮＡＣＫメッセージを送信する。
【０１４１】
一方、ＡＣＫ情報が受信されると、基地局は、ステップ９０５に進んで、中継局が端末から受け取ったデータを送信するためのスケジューリング情報を中継局に送信する。
【０１４２】
スケジューリング情報を送信した後、基地局は、ステップ９０７に進んで中継局からデータを受信する。
【０１４３】
データが受信されると、基地局は、ステップ９０９に進んでデータのエラーを確認する。例えば、基地局は、エラーチェックコードを利用してデータのエラーを検査する。
【０１４４】
万一、データにエラーが発生した場合、基地局は、ステップ９１５に進んでデータの再送信を要請するＮＡＣＫメッセージを送信する。以後、基地局は、ステップ９０５に進んで中継局のエラーの発生したデータを再送信するためのスケジューリング情報を中継局に送信する。
【０１４５】
一方、データにエラーが発生しない場合、基地局は、ステップ９１１に進んで中継局又は端末にＡＣＫメッセージを送信する。例えば、基地局は、中継局と端末とにそれぞれＡＣＫメッセージを送信するか、又は中継局を介して端末にＡＣＫメッセージを送信する。他の実施の形態としては、基地局は、端末のみにＡＣＫメッセージを送信することができる。
【０１４６】
以後、基地局は、このアルゴリズムを終了する。
【０１４７】
上述のように、基地局は、データにエラーが発生する場合、中継局又は端末にデータに対する再送信を要請して再送信手順を行う。このとき、基地局は、再送信を行うための有効時間が満了すると、再送信手順を終了する。
【０１４８】
図１０は、本発明の他の実施の形態による中継方式を使用する無線通信システムにおけるアップリンク信号を中継する中継局の動作手順を示している。
【０１４９】
図１０に示すように、まず中継局は、ステップ１００１にて端末のアップリンクスケジューリング情報を確認する。例えば、中継局は、基地局から端末のアップリンクスケジューリング情報を受け取る。他の実施の形態として中継局は、基地局が端末に送信するアップリンクスケジューリング情報を聴取して、スケジューリング情報を確認する。
【０１５０】
端末のスケジューリング情報を確認した後、中継局は、ステップ１００３に進んで、スケジューリング情報に応じて、端末からデータが受信されているか否かを確認する。
【０１５１】
万一、一定時間の間にデータが受信されないと、中継局は、ステップ１００１に戻って端末のアップリンクスケジューリング情報を確認する。
【０１５２】
一方、スケジューリング情報に応じて端末からデータが受信されると、中継局は、ステップ１００５に進んで端末から受け取ったデータのエラーを確認する。例えば、中継局は、エラーチェックコードを利用してデータのエラーを確認する。
【０１５３】
万一、データにエラーが発生すると、中継局は、ステップ１０１５に進んで基地局から受け取ったＡＣＫ／ＮＡＣＫメッセージを送信するためのスケジューリング情報に応じて、基地局にＮＡＣＫメッセージを送信する。以後、中継局は、ステップ１００１に戻って端末のデータを再送信するためのスケジューリング情報を確認する。
【０１５４】
一方、ステップ１００５にてデータにエラーが発生しないと、中継局は、ステップ１００７に進んで、ＡＣＫ／ＮＡＣＫメッセージを送信するためのスケジューリング情報に応じて、基地局にＡＣＫメッセージを送信する。
【０１５５】
ＡＣＫメッセージを送信した後、中継局は、ステップ１００９に進んで、基地局からアップリンクデータを送信するためのスケジューリング情報を受け取って確認する。
【０１５６】
スケジューリング情報を確認した後、中継局は、ステップ１０１１に進んでスケジューリング情報に応じて端末から受け取ったデータを基地局に送信する。
【０１５７】
データを送信した後、中継局は、ステップ１０１３に進んで基地局から再送信要請信号が受信されているか否かを確認する。ここで、再送信要請信号は、ＮＡＣＫメッセージを含む。
【０１５８】
万一、基地局から再送信要請信号が受信されると、中継局は、ステップ１００９に戻って、基地局からデータを再送信するためのスケジューリング情報を受け取って確認する。例えば、中継局は、基地局からＮＡＣＫメッセージが受信されると、中継局は、基地局に送信したデータにエラーが発生したと認識して、基地局からデータを再送信するためのスケジューリング情報を受け取る。
【０１５９】
一方、基地局から再送信要請信号が受信されないと、中継局は、このアルゴリズムを終了する。例えば、中継局は、基地局からＡＣＫメッセージが受信されると、このアルゴリズムを終了する。ここで、中継局は、基地局が送信するＡＣＫメッセージを受信するか、又は基地局が端末に送信するＡＣＫメッセージを聴取して確認することもできる。他の実施の形態として中継局は、一定時間の間に基地局から再送信要請信号が受信されないと、基地局に送信したデータにエラーがないと見なして、このアルゴリズムを終了する。
【０１６０】
上述のように、中継局は、基地局の再送信要請に応じてデータの再送信手順を行う。このとき、中継局は、再送信を行うための有効時間が満了すると、再送信手順を終了する。
【０１６１】
次に、無線通信システムの基地局で中継局を介さずに端末からデータを直接受信し、データにエラーが発生する場合に、無線通信システムが、下記の図１１又は図１２に示すように、中継局又は端末から選択的にデータを再送信するための手順について説明する。
【０１６２】
図１１は、本発明のさらに他の実施の形態による中継方式を使用する無線通信システムにおけるアップリンク信号を再送信するための手順を示している。
【０１６３】
図１１に示すように、基地局１１００は、端末１１０４がアップリンクデータを送信するための資源スケジューリング情報を端末１１０４に送信する（ステップ１１１３）。このとき、中継局１１０２は、基地局１１００が端末１１０４に送信するスケジューリング情報を聴取して、端末１１０４のアップリンクスケジューリング情報を確認することができる。
【０１６４】
他の実施の形態として基地局１１００は、中継局１１０２が端末１１０４が送信するアップリンクデータを確認することができるように、端末１１０４の識別子（ＩＤ）を含むモニターリング情報を中継局１１０２に送信する（ステップ１１１１）。
【０１６５】
このとき、中継局１１０２は、基地局１１００から受け取ったスケジューリング情報又はモニターリング情報を介して、端末１１０４がデータを送信する時点及び資源情報を確認する。
【０１６６】
以後、端末１１０４は、スケジューリング情報に応じてデータを基地局１１００に送信する（ステップ１１１５）。この場合、中継局１１０２は、スケジューリング情報又はモニターリング情報に応じて、端末１１０４が基地局１１００に送信したデータを聴取して確認する。
【０１６７】
中継局１１０２は、聴取したデータのエラーを検査する。万一データにエラーがないと、中継局１１０２は、データを一時保存し、基地局１１００にＡＣＫメッセージを送信する。一方、聴取したデータにエラーが発生した場合、中継局１１０２は、基地局１１００にＮＡＣＫメッセージを送信する。このとき、中継局１１０２は、基地局１１００から受け取ったＡＣＫ／ＮＡＣＫメッセージを送信するためのスケジューリング情報に応じて、基地局１１００にＡＣＫメッセージ又はＮＡＣＫメッセージを送信する。
【０１６８】
基地局１１００は、端末１１０４から受け取ったデータのエラー検査を行う（ステップ１１１７）。例えば、基地局１１００は、データのエラーチェックコードを利用して、データのエラー検査を行う。
【０１６９】
万一、端末１１０４から受け取ったデータにエラーがない場合、基地局１１００は、中継局１１０２又は端末１１０４にＡＣＫメッセージを送信する（ステップ１１１９、ステップ１１２１）。例えば、基地局１１００は、中継局１１０２と端末１１０４とにそれぞれＡＣＫメッセージを送信するか、又は中継局１１０２を介して端末１１０４にＡＣＫメッセージを送信する。
【０１７０】
他の実施の形態としては、基地局１１００は、端末１１０４のみにＡＣＫメッセージを送信することができる。このとき、中継局１１０２は、基地局１１００が端末１１０４に送信するＡＣＫメッセージを聴取して、基地局１１００に送信したデータにエラーがないことを確認する。
【０１７１】
また、中継局１１０２は、基地局１１００から一定時間の間にＮＡＣＫメッセージ又はデータ再送信のためのスケジューリング情報が受信されないと、基地局１１００に送信したデータにエラーがないと見なす。
【０１７２】
図１２は、本発明のさらに他の実施の形態による中継方式を使用する無線通信システムにおけるアップリンク信号を再送信するための手順を示している。以下、図１１において中継局１００２が端末１００４から受け取ったデータと基地局１０００が中継局１００２から受け取ったデータとにエラーが発生すると仮定して説明する。
【０１７３】
図１２に示すように、基地局１２００は、端末１２０４がアップリンクデータを送信するための資源のスケジューリング情報を端末１２０４に送信する（ステップ１２１３）。このとき、中継局１２０２は、中継局１２０２と通信を行う端末１２０４に対して基地局１２００から送信されるスケジューリング情報を聴取して、端末１２０４のアップリンクスケジューリング情報を確認することができる。
【０１７４】
他の実施の形態として基地局１２００は、中継局１２０２が端末１２０４が送信するアップリンクデータを確認することができるように、端末１２０４の識別子（ＩＤ）を含むモニターリング情報を中継局１２０２に送信する（ステップ１２１１）。
【０１７５】
このとき、中継局１２０２は、スケジューリング情報又はモニターリング情報を介して、端末１２０４がデータを送信する時点及び資源情報を確認する。
【０１７６】
スケジューリング情報を確認した端末１２０４は、スケジューリング情報に応じてデータを基地局１２００に送信する（ステップ１２１５）。この場合、中継局１２０２は、スケジューリング情報又はモニターリング情報に応じて、端末１２０４が基地局１２００に送信したデータを聴取して確認する。
【０１７７】
基地局１２００と中継局１２０２とは、端末１２０４から受け取ったデータのエラーを検査する（ステップ１２１７、ステップ１２１９）。このとき、中継局１２０２は、端末１２０４から受け取ったデータにエラーがないと、データを一時保存し、基地局１２００にＡＣＫメッセージを送信する。一方、端末１２０４から受け取ったデータにエラーが発生した場合、中継局１２０２は、基地局１２００にＮＡＣＫメッセージを送信する。ここで、中継局１２０２は、基地局１２００から受け取ったＡＣＫ／ＮＡＣＫメッセージを送信するためのスケジューリング情報に応じて、基地局１２００にＡＣＫ又はＮＡＣＫメッセージを送信する。
【０１７８】
中継局１２０２が受信したデータにエラーが発生すると仮定する場合、中継局１２０２は、基地局１２００にＮＡＣＫメッセージを送信する（ステップ１２２１）。
【０１７９】
基地局１２００が受信したデータにエラーが発生すると仮定する場合、中継局１２０２から受信されるＡＣＫ／ＮＡＣＫメッセージを確認する。このとき、中継局１２０２からＮＡＣＫメッセージが受信されると、基地局１２００は、データの再送信を要請するＮＡＣＫメッセージを端末１２０４に送信する（ステップ１２２３）。
【０１８０】
以後、基地局１２００は、端末１２０４がアップリンクデータを再送信するための資源スケジューリング情報を端末１２０４に送信する（ステップ１２２７）。このとき、中継局１２０２は、中継局１２０２と通信を行う端末１２０４に対して基地局１２００から送信されたスケジューリング情報を聴取して、端末１２０４のアップリンクスケジューリング情報を確認することができる。
【０１８１】
万一、基地局１２００から中継局１２０２へモニターリング情報を送信する場合（ステップ１２２５）、中継局１２０２は、モニターリング情報に応じて端末１２０４がデータを再送信する時点及び資源を確認することができる。
【０１８２】
基地局１２００からスケジューリング情報を確認した端末１２０４は、スケジューリング情報に応じてデータを基地局１２００に再送信する（ステップ１２２９）。このとき、中継局１２０２は、スケジューリング情報又はモニターリング情報に応じて、端末１２０４が基地局１２００に送信したデータを聴取して確認する。
【０１８３】
基地局１２００と中継局１２０２とは、端末１２０４から受け取ったデータのエラーを検査する（ステップ１２３１、ステップ１２３３）。ここで、中継局１２０２は、データにエラーがないと、データを一時保存し、基地局１２００にＡＣＫメッセージを送信する。万一、データにエラーが発生した場合、中継局１２０２は、基地局１２００にＮＡＣＫメッセージを送信する。このとき、中継局１２０２は、基地局１２００から受け取ったＡＣＫ／ＮＡＣＫメッセージを送信するためのスケジューリング情報に応じて、基地局１２００にＡＣＫ又はＮＡＣＫメッセージを送信する。
【０１８４】
万一、中継局１２０２が受信したデータにエラーがないと仮定する場合、中継局１２０２は、基地局１２００にＡＣＫメッセージを送信する（ステップ１２３５）。
【０１８５】
基地局１２００が受信したデータにエラーが発生した場合、基地局１２００は、中継局１２０２からＡＣＫ又はＮＡＣＫメッセージが受信されているか否かを確認する。
【０１８６】
このとき、基地局１２００は、中継局１２０２からＡＣＫメッセージを受け取ると、基地局１２００は、中継局１２０２と端末１２０４のうち、エラーの発生したデータを再送信されるためのノードを決定する。例えば、基地局１２００は、中継局１２０２とのチャネル情報と端末１２０４とのチャネル情報とを考慮して、エラーの発生したデータを再送信するためのノードを決定する。
【０１８７】
万一、中継局１２０２をエラーの発生したデータを再送信されるためのノードとして決定する場合、基地局１２００は、中継局１２０２が端末１２０４から聴取したデータを送信するためのスケジューリング情報を中継局１２０２に送信する（ステップ１２３７）。
【０１８８】
中継局１２０２は、スケジューリング情報を利用して、基地局１２００に端末１２０４から聴取したデータを送信する（ステップ１２３９）。
【０１８９】
基地局１２００は、中継局１２０２から受け取った再送信データのエラー検査を行う（ステップ１２４１）。例えば、基地局１２００は、データのエラーチェックコードを利用して、データのエラー検査を行う。
【０１９０】
万一、データにエラーが発生した場合、基地局１２００は、ＮＡＣＫメッセージと中継局１２０２がデータを再送信するためのスケジューリング情報とを中継局１２０２に送信する（ステップ１２４３、ステップ１２４５）。ここで、基地局１２００は、スケジューリング情報のみを中継局１２０２に送信できる。
【０１９１】
中継局１２０２は、ＮＡＣＫメッセージが受信されると、基地局１２００に送信したデータにエラーが発生したと認識して、スケジューリング情報に応じてデータを基地局１２００に再送信する（ステップ１２４７）。
【０１９２】
基地局１２００は、中継局１２０２から受け取った再送信データのエラー検査を行う（ステップ１２４９）。例えば、基地局１２００は、データのエラーチェックコードを利用して、データのエラー検査を行う。
【０１９３】
万一、データにエラーがない場合、基地局１２００は、中継局１２０２又は端末１２０４にＡＣＫメッセージを送信する（ステップ１２５１、ステップ１２５３）。例えば、基地局１２００は、中継局１２０２と端末１２０４とにそれぞれＡＣＫメッセージを送信するか、又は中継局１２０２を介して端末１２０４にＡＣＫメッセージを送信する。
【０１９４】
他の実施の形態としては、基地局１２００は、端末１２０４のみにＡＣＫメッセージを送信することができる。このとき、中継局１２０２は、基地局１２００が端末１２０４に送信するＡＣＫメッセージを聴取して、基地局１２００に送信したデータにエラーがないことを確認する。また、中継局１２０２は、基地局１２００から一定時間の間にＮＡＣＫメッセージ又はデータ再送信のためのスケジューリング情報が受信されないと、基地局１２００に送信したデータにエラーがないと見なす。
【０１９５】
上述した実施の形態において基地局１１００は、中継局１１０２を介して端末１１０４のアップリンクデータをエラー無しで受信すると、中継局１１０２又は端末１１０４にＡＣＫメッセージを送信する。他の実施の形態として基地局１１００は、ステップ１２３５のように中継局１１０２からＡＣＫメッセージを受信すると、端末１１０４にＡＣＫメッセージを送信する。この場合、基地局１１００は、中継局１１０２から受信したデータにエラーがないと、中継局１１０２にＡＣＫメッセージを送信するか、又はＡＣＫメッセージを送信しない。
【０１９６】
万一、基地局でエラーの発生したデータの再送信を要請するノードとして端末を選択する場合、無線通信システムは、下記の図１３のように再送信手順を行う。
【０１９７】
図１３は、本発明のさらに他の実施の形態による中継方式を使用する無線通信システムにおけるアップリンク信号を再送信するための手順を示している。
【０１９８】
図１３に示すように、基地局１３００は、端末１３０４がアップリンクデータを送信するための資源のスケジューリング情報を端末１３０４に送信する（ステップ１３１３）。このとき、中継局１３０２は、基地局１３００が端末１３０４に送信するスケジューリング情報を聴取して、端末１３０４のアップリンクスケジューリング情報を確認することができる。
【０１９９】
他の実施の形態として基地局１３００は、中継局１３０２が端末１３０４が送信するアップリンクデータを確認できるように、端末１３０４の識別子（ＩＤ）を含むモニターリング情報を中継局１３０２に送信する（ステップ１３１１）。
【０２００】
このとき、中継局１３０２は、スケジューリング情報又はモニターリング情報を介して、端末１３０４がデータを送信する時点及び資源情報を確認する。
【０２０１】
スケジューリング情報を確認した端末１３０４は、スケジューリング情報に応じてデータを基地局１３００に送信する（ステップ１３１５）。この場合、中継局１３０２は、スケジューリング情報又はモニターリング情報に応じて、端末１３０４が基地局１３００に送信したデータを聴取して確認する。
【０２０２】
基地局１３００と中継局１３０２とは、端末１３０４から受け取ったデータのエラーを検査する（ステップ１３１７、ステップ１３１９）。ここで、中継局１３０２は、データにエラーがないと、データを一時保存し、基地局１３００にＡＣＫメッセージを送信する。万一、データにエラーが発生した場合、中継局１３０２は、基地局１３００にＮＡＣＫメッセージを送信する。このとき、中継局１３０２は、基地局１３００から受け取ったＡＣＫ／ＮＡＣＫメッセージを送信するためのスケジューリング情報に応じて、基地局１３００にＡＣＫ又はＮＡＣＫメッセージを送信する。
【０２０３】
中継局１３０２が受信したデータにエラーがないと仮定する場合、中継局１３０２は、基地局１３００にＡＣＫメッセージを送信する（ステップ１３２１）。
【０２０４】
万一、基地局１３００が受信したデータにエラーが発生すると仮定する場合、基地局１３００は、データの再送信を要請するノード（例：中継局１３０２又は端末１３０４）を選択する。例えば、基地局１３００は、中継局１３０２と端末１３０４とのチャネル状態を確認して、データの再送信を要請するノードを選択する。
【０２０５】
基地局１３００でデータを再送信されるためのノードとして端末１３０４を仮定する場合、基地局１３００は、中継局１３０２からＡＣＫメッセージが送信されても、端末１３０４にデータの再送信を要請するＮＡＣＫメッセージを送信する（ステップ１３２３）。
【０２０６】
以後、基地局１３００は、端末１３０４がアップリンクデータを再送信するための資源スケジューリング情報を端末１３０４に送信する（ステップ１３２５）。
【０２０７】
スケジューリング情報を確認した端末１３０４は、スケジューリング情報に応じてエラーの発生したデータを基地局１３００に再送信する（ステップ１３２７）。
【０２０８】
基地局１３００は、端末１３０４から受け取ったデータのエラーを検査する（ステップ１３２９）。例えば、基地局１３００は、データのエラーチェックコードを利用して、データのエラー検査を行う。
【０２０９】
万一、データにエラーがない場合、基地局１３００は、中継局１３０２又は端末１３０４にＡＣＫメッセージを送信する（ステップ１３３１、ステップ１３３３）。例えば、基地局１３００は、中継局１３０２と端末１３０４とにそれぞれＡＣＫメッセージを送信する。
【０２１０】
また、基地局１３００は、端末１３０４のみにＡＣＫメッセージを送信することができる。このとき、中継局１３０２は、基地局１３００が端末１３０４に送信するＡＣＫメッセージを聴取して、基地局１３００に送信したデータにエラーがないことを確認する。また、中継局１３０２は、基地局１３００から一定時間の間にＮＡＣＫメッセージ又はデータ再送信のためのスケジューリング情報が受信されないと、基地局１３００に送信したデータにエラーがないと見なす。
【０２１１】
以下、図１１、図１２、又は図１３に示すように、アップリンクデータの再送信を行う基地局と中継局の動作について説明する。
【０２１２】
図１４は、本発明のさらに他の実施の形態による中継方式を使用する無線通信システムにおけるアップリンク信号を再送信するための基地局の動作手順を示している。
【０２１３】
図１４に示すように、まず基地局は、ステップ１４０１にて端末がアップリンクデータを送信するためのスケジューリング情報を端末に送信する。また、基地局は、端末のアップリンクデータを確認できるように、端末の識別子情報を含むモニターリング情報を中継局に送信する。万一、基地局が端末に送信するスケジューリング情報を中継局が聴取する場合、基地局は、モニターリング情報を中継局に送信しなくても良い。
【０２１４】
スケジューリング情報を送信した後、基地局は、ステップ１４０３に進んで端末からデータを受信する。
【０２１５】
データが受信されると、基地局は、ステップ１４０５に進んでデータのエラーを確認する。例えば、基地局は、エラーチェックコードを利用して、データのエラーを検査する。
【０２１６】
万一、データにエラーがない場合、基地局は、ステップ１４１９に進んで中継局又は端末にＡＣＫメッセージを送信する。即ち、基地局は、中継局と端末とにそれぞれＡＣＫメッセージを送信するか、又は端末のみにＡＣＫメッセージを送信することができる。
【０２１７】
一方、データにエラーが発生した場合、基地局は、ステップ１４０７に進んで、中継局からＡＣＫメッセージが受信されているか否かを確認する。
【０２１８】
万一、中継局からＮＡＣＫメッセージが受信される場合、基地局は、ステップ１４２１に進んで端末にデータの再送信を要請するＮＡＣＫメッセージを送信する。
【０２１９】
一方、中継局からＡＣＫメッセージが受信される場合、基地局は、ステップ１４０９に進んでデータの再送信を要請するノード（例：中継局又は端末）を決定する。ここで、基地局は、中継局と端末とのチャネル状態を考慮して、データの再送信を要請するノードを決定する。
【０２２０】
以後、基地局は、ステップ１４１１に進んで再送信を要請するノードとして中継局が選択されているか否かを確認する。
【０２２１】
万一、再送信を要請するノードとして端末が選択された場合、基地局は、ステップ１４２１に進んでデータのエラー発生を表すＮＡＣＫメッセージを端末に送信する。
【０２２２】
ＮＡＣＫメッセージを送信した後、基地局は、ステップ１４０１に戻って端末のアップリンクデータを再送信するためのスケジューリング情報を端末に送信する。
【０２２３】
一方、再送信を要請するノードとして中継局が選択された場合、基地局は、ステップ１４１３に進んで中継局が端末から聴取したデータを送信するためのスケジューリング情報を中継局に送信する。
【０２２４】
スケジューリング情報を送信した後、基地局は、ステップ１４１５に進んで中継局からデータを受信する。
【０２２５】
データが受信されると、基地局は、ステップ１４１７に進んでデータのエラーを確認する。例えば、基地局は、エラーチェックコードを利用して、データのエラーを検査する。
【０２２６】
万一、データにエラーが発生する場合、基地局は、ステップ１４１３に戻ってエラーの発生したデータを再送信するためのスケジューリング情報を中継局に送信する。他の実施の形態として、図示していないが、基地局はデータのエラー発生を表すＮＡＣＫメッセージを中継局に送信する。以後、基地局は、１４１３に戻ってスケジューリング情報を中継局に送信する。
【０２２７】
一方、データにエラーが発生しない場合、基地局は、ステップ１４１９に進んで中継局又は端末にＡＣＫメッセージを送信する。即ち、基地局は、中継局と端末とにそれぞれＡＣＫメッセージを送信するか、又は端末のみにＡＣＫメッセージを送信することができる。
【０２２８】
以後、基地局は、このアルゴリズムを終了する。
【０２２９】
上述のように、基地局は、データにエラーが発生する場合、中継局又は端末にデータに対する再送信を要請して再送信手順を行う。このとき、基地局は、再送信を行うための有効時間が満了すると、再送信手順を終了する。
【０２３０】
図１５は、本発明のさらに他の実施の形態による中継方式を使用する無線通信システムにおけるアップリンク信号を中継する中継局の動作手順を示している。
【０２３１】
図１５に示すように、まず中継局は、ステップ１５０１にて端末のアップリンクスケジューリング情報を確認する。例えば、中継局は、基地局が中継局と通信を行う端末に送信するアップリンクスケジューリング情報を聴取して、スケジューリング情報を確認する。他の実施の形態として中継局は、基地局が送信するモニターリング情報を介して、端末のアップリンクデータを送信するためのスケジューリング情報を確認する。
【０２３２】
端末のスケジューリング情報を確認した後、中継局は、ステップ１５０３に進んでスケジューリング情報を利用して、端末からデータが受信されているか否かを確認する。
【０２３３】
万一、一定時間の間にデータが受信されないと、中継局は、ステップ１５０１に戻って端末のアップリンクスケジューリング情報を確認する。
【０２３４】
一方、データが受信されると、中継局は、ステップ１５０５に進んでデータのエラーを確認する。例えば、中継局は、エラーチェックコードを利用して、データのエラーを確認する。
【０２３５】
万一、データにエラーが発生すると、中継局は、ステップ１５１５に進んで基地局から受け取ったＡＣＫ／ＮＡＣＫメッセージを送信するためのスケジューリング情報に応じて、基地局にＮＡＣＫメッセージを送信する。以後、中継局は、ステップ１５０１に戻って端末のアップリンクスケジューリング情報を確認する。
【０２３６】
一方、ステップ１５０５にてデータにエラーが発生しないと、中継局は、ステップ１５０７に進んでＡＣＫ／ＮＡＣＫメッセージを送信するためのスケジューリング情報に応じて、基地局にＡＣＫメッセージを送信する。
【０２３７】
ＡＣＫメッセージを送信した後、中継局は、ステップ１５０９に進んで基地局からアップリンクデータを送信するためのスケジューリング情報が受信されているか否かを確認する。
【０２３８】
万一、スケジューリング情報が受信されると、中継局は、ステップ１５１１に進んでスケジューリング情報に応じて基地局にデータを送信する。
【０２３９】
データを送信した後、中継局は、ステップ１５１３に進んで基地局からＡＣＫメッセージが受信されているか否かを確認する。
【０２４０】
万一、ＡＣＫメッセージではないＮＡＣＫメッセージが受信される場合、中継局は、１５０９に戻って基地局からデータを再送信するためのスケジューリング情報が受信されているか否かを確認する。
【０２４１】
一方、ＡＣＫメッセージが受信されると、中継局は、このアルゴリズムを終了する。例えば、中継局は、基地局が送信するＡＣＫメッセージを受信するか、又は基地局が中継局と通信する端末に送信するＡＣＫメッセージを聴取して確認することもできる。他の実施の形態として中継局は、一定時間の間に基地局から再送信要請信号が受信されないと、基地局に送信したデータにエラーがないと見なして、このアルゴリズムを終了する。
【０２４２】
上述のように、中継局は、基地局の再送信要請に応じてデータの再送信手順を行う。このとき、中継局は、再送信を行うための有効時間が満了すると、再送信手順を終了する。
【０２４３】
以下、上述のように、無線通信システムにおいてデータの再送信を行う基地局、中継局及び端末のブロック構成について説明する。ここで、基地局、中継局及び端末は、同様に構成されるので、下記の図１６に示すような中継局のブロック構成を代表として説明して、基地局と端末のブロック構成についての説明は省略する。
【０２４４】
図１６は、本発明による中継方式を使用する無線通信システムにおける中継局のブロック構成を示している。以下では、送信部１６００と受信部１６２０とが相違なるアンテナを使用すると仮定して説明するが、送信部１６００と受信部１６２０とは、一つのアンテナを使用することもできる。
【０２４５】
図１６に示すように、中継局は、送信部１６００、受信部１６２０、送信部１６００と受信部１６２０とが共有するＡＲＱ制御器１６４０、ＡＲＱ状態部１６５０、ＡＲＱタイマー１６６０、及びチャネル推定器１６７０を備える。
【０２４６】
まず、送信部１６００は、データ生成部１６０１、チャネル符号器１６０３、ＣＲＣ生成器１６０５、変調器１６０７、ＩＦＦＴ（Ｉｎｖｅｒｓｅ  Ｆａｓｔ  Ｆｏｕｒｉｅｒ  Ｔｒａｎｓｆｏｒｍ）演算器１６０９及びＲＦ処理器１６１１を備える。
【０２４７】
データ生成部１６０１は、データキュー１６１３に保存されたデータとメッセージ生成器１６１７から生成した制御メッセージとをＳＤＵ（Ｓｅｒｖｉｃｅ  Ｄａｔａ  Ｕｎｉｔ）生成器１６１５で集めて、物理階層送信のための一つのデータを生成する。ここで、メッセージ生成器１６１７は、受信部１６２０を介して受信したデータにエラーがないと、ＡＣＫ制御メッセージを生成する。これに対し、メッセージ生成器１６１７は、データにエラーが発生した場合、ＮＡＫＣメッセージを生成する。
【０２４８】
チャネル符号器１６０３は、データ生成部１６０１から受け取ったデータを該当変調水準（例：ＭＣＳ（Ｍｏｄｕａｌｔｉｏｎ  ａｎｄ  Ｃｏｄｉｎｇ  Ｓｃｈｅｍｅ）レベル）に応じて符号化する。ＣＲＣ生成器１６０５は、エラー検出コードを生成して、チャネル符号器１６０３から受け取ったデータに追加して出力する。
【０２４９】
変調器１６０７は、ＣＲＣ生成器１６０５から受け取ったデータを該当変調水準（例：ＭＣＳレベル）に応じて変調して出力する。
【０２５０】
ＩＦＦＴ演算器１６０９は、変調器１６０７から受け取った周波数領域データを逆高速フーリエ変換して時間領域信号に変換する。
【０２５１】
ＲＦ処理器１６１１は、ＩＦＦＴ演算器１６０９から受け取ったベースバンド信号を高周波（Ｒａｄｉｏ  Ｆｒｅｑｕｅｎｃｙ）信号に周波数アップ変換して、アンテナを介して基地局又は端末に出力する。
【０２５２】
次に、受信部１６２０は、ＲＦ処理器１６２１、ＦＦＴ（Ｆａｓｔ  Ｆｏｕｒｉｅｒ  Ｔｒａｎｓｆｏｒｍ）演算器１６２３、復調器１６２５、ＣＲＣ除去器１６２７、チャネル復号器１６２９及びデータ処理部１６３１を備える。
【０２５３】
ＲＦ処理器１６２１は、基地局又は端末からアンテナを介して受信した高周波信号をベースバンド信号に周波数ダウン変換して出力する。
【０２５４】
ＦＦＴ演算器１６２３は、ＲＦ処理器１６２１から受け取った時間領域信号を高速フーリエ変換して周波数領域信号に変換する。
【０２５５】
復調器１６２５は、ＦＦＴ演算器１６２３から受け取った信号を該当変調水準に応じて復調して出力する。このとき、復調器１６２５は、復調された信号をＣＲＣ除去器１６２７とチャネル推定器１６７０とに出力する。
【０２５６】
ＣＲＣ除去器１６２７は、復調器１６２５から受け取った信号のエラー検出コードを確認して、信号のエラー発生有無を判断する。このとき、ＣＲＣ除去器１６２７は、復調器１６２５から受け取った信号からエラー検出コードを除去する。
【０２５７】
チャネル復号器１６２９は、ＣＲＣ除去器１６２７から受け取ったエラーのない信号を該当変調水準に応じて復号して出力する。
【０２５８】
データ処理部１６３１のＳＤＵ処理器１６３５は、チャネル復号器１６２９から受け取った物理階層信号からデータと制御メッセージとを分離する。以後、ＳＤＵ処理器１６３５は、データを第２データキュー１６３７に提供して保存し、制御メッセージは、メッセージ処理器１６３３に提供して復号して確認する。ここで、第１データキュー１６１３と第２データキュー１６２７とは、同じデータキューでありうる。ここで、メッセージ処理部１６３３は、基地局からＮＡＣＫ制御メッセージが受信されると、ＡＲＱ制御器１６４０にＮＡＣＫ制御メッセージの受信を知らせる。
【０２５９】
ＡＲＱ状態部１６５０は、再送信されたデータに対するＡＲＱ状態を管理する。ＡＲＱタイマー１６６０は、中継局の再送信のための有効時間（ｌｉｆｅ  ｔｉｍｅ）を管理する。
【０２６０】
ＡＲＱ制御器１６４０は、ＡＲＱ状態部１６５０及びＡＲＱタイマー１５４３と連動して、中継局の全般的なＡＲＱの動作を制御する。このとき、ＡＲＱ制御器１６４０は、送信部１６００のデータ生成部１６０１、チャネル符号器１６０３及びＣＲＣ生成器１６０５と通信しつつ再送信を制御する。例えば、受信部１６２０を介して基地局から再送信要請が受信されると、ＡＲＱ制御器１６４０は、データキュー１６１３に保存された端末から受け取ったデータをチャネル状態に応じて符号化し、エラー検出コードを挿入して基地局に再送信されるように制御する。
【０２６１】
また、ＡＲＱ制御器１６４０は、受信部１６２０のデータ処理部１６３１、チャネル復号器１６２９及びＣＲＣ除去器１６２７と通信しつつ再送信を制御する。例えば、ＣＲＣ除去器１６２７からデータにエラーが発生した場合、ＡＲＱ制御器１６４０は、基地局に送信するためのＮＡＣＫ制御メッセージを生成するようにメッセージ生成器１６１７を制御する。
【０２６２】
また、ＡＲＱ制御器１６４０は、再送信手順を行う途中にＡＲＱタイマー１６６０から有効時間の終了メッセージを受け取ると、再送信手順を終了する。
【０２６３】
上述した実施の形態は、一つの中継局を利用して中継サービスを提供する無線通信システムを例に挙げて説明したが、多重ホップ中継方式の無線通信システムも同様に動作できる。
【０２６４】
上述のように、中継方式を使用する無線通信システムにおいて中継局を利用したアップリンク信号に対する自動再送信要請（ＡＲＱ：Ａｕｔｏｍａｔｉｃ  Ｒｅｔｒａｎｓｍｉｓｓｉｏｎ  ｒｅＱｕｅｓｔ）を行うことで、中継局は、基地局にエラーのないデータのみ再送信を行って、基地局は、データに対して信頼度を向上させることができるという利点がある。
【０２６５】
一方、本発明の詳細な説明では具体的な実施の形態について説明したが、本発明の範囲から逸脱しない範囲内で、様々な変形が可能であることはもちろんである。従って、本発明の範囲は、説明された実施の形態に限定されて決められてはならず、後述する特許請求範囲の記載による範囲及びそれと均等なものによって決定されるべきである。
【図１】
2010519877.tif 000003
【図２】
2010519877.tif 000004
【図３】
2010519877.tif 000005
【図４】
2010519877.tif 000006
【図５】
2010519877.tif 000007
【図６】
2010519877.tif 000008
【図７】
2010519877.tif 000009
【図８】
2010519877.tif 000010
【図９】
2010519877.tif 000011
【図１０】
2010519877.tif 000012
【図１１】
2010519877.tif 000013
【図１２】
2010519877.tif 000014
【図１３】
2010519877.tif 000015
【図１４】
2010519877.tif 000016
【図１５】
2010519877.tif 000017
【図１６】
2010519877.tif 000018
【国際調査報告】
2010519877.tif 000019
2010519877.tif 000020